(57)【要約】【課題】  ベランダに洗濯物を干しているときに雨が降っても洗濯物が雨で濡れることを防止できると共に景観を損うことがないようにし、更に、居住室の前のベランダ上の洗濯物と居住室との間を遮れるようにする。【解決手段】  水平方向に延びてリング状にしたカーテンレール３を、建物１の各階に設けられているベランダ２の裏面２ａに支柱４を介して取り付けて吊下げ支持させる。リング状にしたカーテンレール３にカーテン１０を移動自在にセットする。カーテン１０をベランダ２の外側に位置するカーテンレール３の直線部３Ａに沿い展張させると、洗濯物の外側をカーテン１０で覆うことができて、外方から入り込む雨水等をカーテン１０で遮れる。カーテン１０をベランダ２の内側に位置するカーテンレール３の直線部３Ａに沿い展張させると、洗濯物と居住室１５との間をカーテン１０で遮ることができる。【選択図】図５
0003118842.tif 000002
【実用新案登録請求の範囲】
【請求項１】
水平方向に延びるリング状に形成したカーテンレールを、多層階の住宅における上階のベランダ又は庇の下面に所要の間隔を隔てて取り付けて吊下げ支持させ、該カーテンレールに、所要の展張長さとしてあるカーテンの上端部を移動自在に吊り下げ、且つ該カーテンを、リング状のカーテンレールの任意の位置に展張できるようにした構成を有することを特徴とするベランダカーテン装置。
【請求項２】
リング状のカーテンレールを、２本の直線部と両端部の曲線部を連結してなるものとし、２本の直線部のいずれか一方に１枚のカーテンを移動させて展張できるようにした請求項１記載のベランダカーテン装置。
【請求項３】
カーテンレールとベランダ又は庇の下面との間に所要の間隔が形成されるようカーテンレールを支持する支柱の長さを調整できるようにした請求項１又は２記載のベランダカーテン装置。
【請求項４】
カーテンレールに、物干し竿受を一体に取り付けた請求項１、２又は３記載のベランダカーテン装置。
【考案の詳細な説明】
【技術分野】
【０００１】
本考案は、マンションの如き高層集合住宅の各階に取り付けられているベランダ、あるいは、二階建て以上の戸建て住宅等の外壁に取り付けられているベランダや屋根の庇等の裏面に取り付けて用いるベランダカーテン装置に関するものである。
【背景技術】
【０００２】
たとえば、マンションの如き高層集合住宅等の外壁には、各階の居住室に対応させてベランダが各階に取り付けられている。このように住宅の外壁に取り付けられるベランダは、建物の外壁より所要寸法外方へ突出させて設けられるため、各階の居住室に対して上階のベランダは庇となるものである。そのため、上下のベランダ間の空間部やその下方のベランダ上面は、降雨時でも雨で濡れることがないことから、洗濯物の干し場や物置き場所等として使用されている場合が多い。
【０００３】
しかし、上記ベランダの上方位置の空間部を洗濯物の干し場として使用するために、物干し竿をセットして洗濯物を干した場合、降雨時は、上記のように上階のベランダが庇となるため、直接的に雨水が上方からかかることはないが、風雨が激しく横方向から雨がベランダの上方へ吹き込まれるようになると、上階のベランダを庇としてその下方位置に洗濯物を干していても、干してある洗濯物が濡れてしまうことがある。又、風が強いときは、干してある洗濯物が大きく揺れ動かされることがあるので、雨足が弱く小雨のときでも、干してある洗濯物が雨水に晒されることがある。
【０００４】
このような場合、洗濯物を居住室内へ取り込んで干したり、乾燥室がある場合は乾燥室へ移して乾燥させるようにすればよいが、そのようにできないときは、濡れた洗濯物をそのまま干しておくことになり、そのまま干しておいても風雨に洗濯物を晒すことがないようにすることが望まれている。
【０００５】
これまでに、降雨時には洗濯物にビニール等のカバーをかけるようにすることが行われている。
【０００６】
ところで、近年、ベランダにカーテンを取り付けるようにしたものが提案されている。
たとえば、マンションの如き高層集合住宅の庇となっている上階のベランダの裏面にカーテンレールを取り付けて、このカーテンレールにカーテンをセットして使用するものが提案されている（例えば、特許文献１参照）。
【０００７】
又、住宅の庇の周縁に沿ってカーテンレールを取り付けて、このカーテンレールにカーテンを取り付けるようにしたものも提案されている（たとえば、特許文献２参照）。
【０００８】
【特許文献１】実開２００３−６４７６４号公報
【特許文献２】特開２０００−２１７６９８号公報
【考案の開示】
【考案が解決しようとする課題】
【０００９】
ところが、特許文献１に記載されたものは、ベランダをサンルームのような快適な場所にするとか、花粉防止、防音、防雨、防風を可能にするために、ベランダにカーテンを取り付けるようにしたものであり、カーテンレールは、Ｕ字形に折曲げ形成して、前面と両側部側にカーテンを配置させるようにしたものであり、洗濯物が雨水に晒されないようにするものではない。
【００１０】
又、特許文献２に記載されたものは、窓ガラスに雨、露、霜、雪が付着することを防止すると共に、ベランダの保温を行うようにするために、Ｕ字形に折曲げ形成したカーテンレールを庇に直接取り付けてカーテンと庇との間の隙間を極力小さくするようにしたものであり、カーテンの内側にも外気が入り易くなるようにしたものではない。
【００１１】
そこで、本考案は、ベランダや庇の下に洗濯物を干した場合に、干されている洗濯物が急な降雨時にも横から吹き込まれる雨水で洗濯物が濡れたりすることがなく且つ内側に外気を入れ易くして乾燥も十分に行われると共に、居住室側の窓と洗濯物との間をカーテンで遮蔽することもできるようにするベランダカーテン装置を提供しようとするものである。
【課題を解決するための手段】
【００１２】
本考案は、上記課題を解決するために、水平方向に延びるリング状に形成したカーテンレールを、多層階のベランダ付き住宅における上階のベランダや庇の下面に所要の間隔を隔てて取り付けて吊下げ支持させ、該カーテンレールに、所要の展張長さとしてあるカーテンの上端部を移動自在に吊り下げ、且つ該カーテンを、リング状のカーテンレールの任意の位置に展張できるようにした構成とする。
【００１３】
又、上記構成において、リング状のカーテンレールを、２本の直線部と両端部の曲線部を連結してなるものとし、２本の直線部のいずれか一方に１枚のカーテンを移動させて展張できるようにしたり、カーテンレールとベランダ又は庇の下面との間に所要の間隔が形成されるようカーテンレールを支持する支柱の長さを調整できるようにする。
【００１４】
更に、上記構成におけるカーテンレールに、物干し竿受を一体に取り付けた構成とする。
【考案の効果】
【００１５】
本考案のベランダカーテン装置によれば、次のような優れた効果を奏し得る。  
（１）水平方向に延びるリング状に形成したカーテンレールを、多層階のベランダ付き住宅における上階のベランダや庇の下面に所要の間隔を隔てて取り付けて吊下げ支持させ、該カーテンレールに、所要の展張長さとしてあるカーテンの上端部を移動自在に吊り下げ、且つ該カーテンを、リング状のカーテンレールの任意の位置に展張できるようにした構成として、物干し竿に干されている洗濯物の外側にカーテンを張るようにするので、上階のベランダや庇の下側に干される洗濯物をカーテンで覆うことができて建物の外側から洗濯物が見えないように隠すことができて、建物全体の景観を損うことがないようにすることができると共に、雨が降って来て横方向から吹き込むような雨足しが強いときでも洗濯物が雨で濡れることを防止できる。  
（２）又、上記（１）の構成としてあることから、洗濯物をカーテンで覆っていても、上階のベランダの裏面とカーテンレールとの間に十分な隙間が形成されて外気が入るようにしてあり、又、カーテンを展張しても居住室の窓との間からも十分な外気を取り入れることができて、洗濯物の乾燥が充分に行える。  
（３）カーテンレールがリング状にしてあって、カーテンを任意の位置にセットさせることができるので、カーテンを、カーテンレールの居住室側の直線部にセットさせるようにすることにより、ベランダに洗濯物を干しているときに来客があったときにも、カーテンで居住室の窓と洗濯物との間を遮ることができて、あわてて洗濯物を取り込んだりすることを省略できる。  
（４）本考案のベランダカーテン装置は、新築住宅の建築時に予めベランダ裏面に取り付けておくこともでき、又、既設の住宅にも簡単に取り付けることができる。又、カーテンレールの固定支持用の支柱の長さを調整できるようにすることにより、建物に応じて簡単に取付高さ位置を変えることができる。  
（５）物干し竿受をカーテンレールと一体とすることにより、カーテンレールを上階のベランダの裏面に取り付けることにより、物干し竿受も同時に備えることができて、物干し竿受の取付け作業を省略できる。
【考案を実施するための最良の形態】
【００１６】
以下、本考案を実施するための最良の形態を説明する。
【００１７】
図１乃至図５は本考案のベランダカーテン装置の実施の一形態を示すもので、たとえば、マンションの如き多層集合住宅の各階にベランダ２が外壁より外側へ突設させてある建物１における各階のベランダ２の下面側、すなわち、上階のベランダ（庇）２の裏面２ａ側に、長い２本の直線部３Ａと両端の曲線部３Ｂとを一体に連結して水平方向に長く延びる一連のリング状カーテンレール３を、該カーテンレール３の上面側の所要個所に取り付けた支柱４を介し取り付けるようにする。上記各支柱４は、上階のベランダ２の裏面２ａとカーテンレール３との間に十分な隙間が確保できるような所要の長さとしてあり、上端の取付庇５をアンカーボルト６で強固に固定して、荷重がかかるカーテンレール３を十分に支持し、上方に風が自由に通過できる隙間が形成されるようにする。又、上記カーテンレール３は、内側（建物側）となる直線部３Ａが建物１から所要間隔離れた位置となるようにして、該直線部３Ａにかける後述するカーテンと窓との間に所要広さの隙間が形成されるようにする。
【００１８】
上記カーテンレール３は、図３、図４に示すようにＬ形断面形状としたカーテンレール本体受け３ａと、該カーテンレール本体受け３ａの水平部の下面に平行に取り付けて左右両側部にローラ転動部３ｃが長手方向に平行に設けてあるカーテンレール本体３ｂとからなる構成としてあり、カーテンレール本体３ｂには、左右に上記ローラ転動部３ｃを転動するローラ９を有し且つ下端部にカーテン吊りフック８を有するカーテン吊り具７が多数係止させてあり、カーテンレール本体３ｂに沿い長手方向に自在に移動できるようにしてある。
【００１９】
上記のように構成されているカーテンレール３には、少なくとも該カーテンレール３の片側の直線部３Ａと両端側の曲線部３Ｂに沿う幅寸法としてあるカーテン１０を、多数のカーテン吊り具７を介し取り付けて、カーテン１０をリング状のカーテンレール３のどの位置にもセットできるようにする。
【００２０】
又、上記のような構成としてある本考案のベランダカーテン装置の内側には、物干し竿受１１と物干し竿１２が置かれるようにする。
【００２１】
上記物干し竿受１１は、図５に示す如く、上階のベランダ２の裏面２ａに上端を固定するようにした支柱１３の下端に装置され、物干し竿１２の端部を受けることができるように孔又は上面に凹部を形成した金属製としてある。物干し竿１２は、通常使用されている市販品が用いられるようにしてある。
【００２２】
１４はカーテン１０の下端部側が風で揺れ動くことがないように必要に応じてベランダ側に止めておくようにするためのカーテン固定金具、１５は建物１の居住室、１６は居住室１５の窓に取り付けてある窓ガラスである。
【００２３】
なお、上記カーテンレール３等は屋外に設置されて常に外気に触れているものであることから、耐食性を有すると共に、長尺のカーテン１０を支持することから、十分な強度を有する材質のものを素材として用いるようにする。又、カーテン１０は熱にも強いビニール製とするようにする。
【００２４】
上記構成としてあるので、本考案のベランダカーテン装置を用いるときは、上階のベランダ２の裏面２ａに固定されて支持されているカーテンレール３に吊り具７を介してカーテン１０をセットし、カーテンレール３に沿わせて移動させながら１ヶ所に寄せて折りたたんでおくようにする。
【００２５】
この状態で物干し竿１２に洗濯物が順次掛けられて干されると、上記折りたたんであるカーテン１０を、カーテンレール３に沿い展張させながらカーテンレール３の外側（建物から離れる側）の直線部３Ａに沿わせてベランダ２上の両端部と前側に位置させて、干されている洗濯物を外側から見られないように覆うようにする。これにより、雨が降っていても気にすることなく洗濯物を広げておくことができると共に、万一、風が強くて横から吹き込む雨が洗濯物に当るような状況でも、洗濯物が雨水に晒されることがないことから、雨で洗濯物が濡れることを防ぐことができる。又、降雨時でないときでも、ベランダ２上にカーテン１０が張られているため、洗濯物をカーテン１０で隠すことができて、マンションの如き高層集合住宅の景観を損うような問題も解消させることが可能となる。
【００２６】
又、上記のように、カーテンレール３に沿って吊り下げられているカーテン１０を展張していても、カーテンレール３を吊下げ支持している上階のベランダ２の裏面２ａとカーテン１０の上端縁部との間には相当な隙間が形成されるようにしてあり、又、カーテン１０と建物の窓ガラス１６との間も所要の隙間が形成されるようにしてあることから、風通しは良く、カーテン１０で前面部と両側部とが覆われていても、洗濯物を十分に乾かすことができる。
【００２７】
本考案のベランダカーテン装置は、カーテンレール３をリング状にしていることから、カーテン１０を任意の位置にセットさせることができる。そのため、たとえば、リング状のカーテンレール３の内側に位置する直線部３Ａにカーテン１０を沿わせて展張させるようにすることにより、居住室１５と物干し竿１２に干されている洗濯物との間をカーテン１０で遮ることができる。これによりベランダ２に洗濯物が干してある状態のときに不意に来訪者があっても、ベランダ２のカーテン１０で洗濯物を居住室１５から見えないように遮ることが可能となる。
【００２８】
次に、上記実施の形態では、図３、図４に示す如く、カーテンレール３をベランダ２の裏面２ａに取り付けて吊下げ支持させる場合に、所要長さとしてある支柱４を用いて、カーテンレール３とベランダ２の裏面２ａとの間隔を確保させるようにしてあるが、上記支柱４を、長手方向に伸縮できるようにして長さを調整できるようにすることができる。
【００２９】
図６（イ）（ロ）はその一例を示すもので、各支柱４を上下の支柱部材４ａと４ｂに分割して、各支柱部材４ａ，４ｂの端部にボルト挿通用孔を設け、且つ両支柱部材４ａ，４ｂを連結する連結板１７に複数（図６（ロ）では３つずつ）のボルト挿通孔１８を設け、ボルト１９とナット２０で締め付けるようにしたものである。
【００３０】
この実施の形態によれば、カーテンレール３の取付高さを自在に変えることができて、ベランダ２の裏面２ａへの取付位置に応じて、あるいは、上階のベランダ２の高さに応じて任意に高さ位置を変えることが可能となる。
【００３１】
又、図７（イ）（ロ）は本考案の実施の他の形態を示すもので、図１乃至図５に示す実施の形態において、リング状のカーテンレール３とは別体の物干し竿受１１を、上階ベランダ２の裏面２ａに支柱１３を介し固定して吊下げ支持させたものとしてあることに代えて、物干し竿受１１をカーテンレール３と一体として、それに物干し竿１２を受けさせるようにしたものである。
【００３２】
詳述すると、リング状のカーテンレール３の２本の直線部３Ａにおけるカーテンレール受３ａを断面逆Ｕ字状としてその相対向する面間、すなわち、ベランダ２の前後方向に相対向するガイドレール受３ａの側面部の外側面間に、水平方向に延びる梁２１の両端面を突き当てるようにして介装し、該梁２１の両端とガイドレール受３ａとをビス等で固定し、該梁２１に支柱１３を介して物干し竿受１１を吊下げ支持させるようにして、物干し竿付きカーテンレールとしたものである。
【００３３】
又、カーテンレール３への梁２１の取付位置は、たとえば、図１に示す物干し竿受１１の位置に合わせるようにする。
【００３４】
この実施の形態によれば、物干し竿受１１がカーテンレール３と一体型としてあるので、カーテンレール３を上階のベランダ２の裏面２ａに固定する工事だけで物干し竿受１１の取付けができて、改めて物干し竿受１１の取付工事を行うことを省略させることができる利点があるほか、前記した実施の形態と同様の効果が得られる。
【００３５】
なお、本考案は、上記した実施の形態にのみ限定されるものではなく、たとえば、上記の各実施の形態では、マンションの如き高層集合住宅を例にして説明したが、一般住宅の場合には、屋根の庇にカーテンレール３を取り付けて、ベランダの上方位置にカーテン１０をセットできるようにしてもよいこと、リング状にしたカーテンレール３の外側と内側の直線部３Ａの間隔を比較的狭くして、その間に物干し竿１２が１本配置されるようにしたものを示しているが、物干し竿１２が２本並べてベランダの前後方向に配置できるように、リング状のカーテンレール３の直接部３Ａ同士の対峙間隔を広くして広幅のカーテンレールとしてもよいこと、又、図１では、カーテンレール３の長さを、２つの居住室１５に跨るようにした場合を示したが、１つの居住室１５ごとにその前側に１つのカーテンレール３を設置するようにしてよいこと、カーテンレール３の支柱４を任意に伸縮できれば、図６（イ）（ロ）に示す方式以外のものでもよいこと、その他本考案の要旨を逸脱しない範囲内で種々変更を加え得ることは勿論である。
【図面の簡単な説明】
【００３６】
【図１】本考案のベランダカーテン装置の実施の一形態を示す概略平面図である。
【図２】図１の概略正面図である。
【図３】図１のIII方向からの拡大断面図である。
【図４】図１のIV部の拡大正面図である。
【図５】本考案のベランダカーテン装置の一部を示す斜視図である。
【図６】本考案のベランダカーテン装置の実施の他の形態を示すもので、（イ）はカーテンレールの支柱を伸縮式とした一例を示す正面図、（ロ）はその側面図である。
【図７】本考案のベランダカーテン装置の実施の更に他の形態を示すもので、（イ）は部分平面図で図１に対応する図、（ロ）は（イ）の拡大切断側面図である。
【符号の説明】
【００３７】
１  建物
２  ベランダ
２ａ  ベランダの裏面
３  カーテンレール
３Ａ  直線部
３Ｂ  曲線部
４  支柱
４ａ，４ｂ  支柱部材
７  カーテン吊り具
１０  カーテン
１１  物干し竿受
１２  物干し竿
１７  連結板
【図１】
0003118842.tif 000003
【図２】
0003118842.tif 000004
【図３】
0003118842.tif 000005
【図４】
0003118842.tif 000006
【図５】
0003118842.tif 000007
【図６】
0003118842.tif 000008
【図７】
0003118842.tif 000009
【手続補正書】
【提出日】平成17年11月28日(2005.11.28)
【手続補正１】
【補正対象書類名】図面
【補正対象項目名】図７
【補正方法】変更
【補正の内容】
【図７】
0003118842.tif 000010